【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
副走査断面内において主走査断面に対して互いに異なる角度で第１の偏向面に入射する第１及び第２の光束を偏向して、第１及び第２の被走査面を主走査方向に走査する偏向器と、
前記偏向器によって偏向された前記第１及び第２の光束を前記第１及び第２の被走査面に導光する第１及び第２の光学部を含む第１の光学素子とを有し、
前記第１の光学素子の入射面は、該入射面の面頂点を含む副走査断面内において、該面頂点の位置で前記偏向器側に最も突出しており、
前記第１の光学部の第１の出射面及び前記第２の光学部の第２の出射面の少なくとも一方は、子線チルト面であり、
軸上光線の入射位置を含む副走査断面内における前記第１の出射面の面頂点と前記第２の出射面の面頂点との間の距離は、最軸外光線の入射位置を含む副走査断面内における前記第１の出射面の面頂点と前記第２の出射面の面頂点との間の距離よりも大きいことを特徴とする光走査装置。
【請求項２】
前記第１の光学部の入射面及び前記第２の光学部の入射面の少なくとも一方は、子線チルト面であることを特徴とする請求項１に記載の光走査装置。
【請求項３】
前記軸上光線の入射位置を含む副走査断面内における前記第１の出射面の前記面頂点は、前記第１の光学素子の入射面の面頂点を含む主走査断面に対して前記第１の光学部の反対側にあることを特徴とする請求項１または２に記載の光走査装置。
【請求項４】
前記偏向器によって偏向された第３及び第４の光束を第３及び第４の被走査面に導光する第３及び第４の光学部を含む第２の光学素子を有し、
前記偏向器は、副走査断面内において主走査断面に対して互いに異なる角度で第２の偏向面に入射する前記第３及び第４の光束を偏向して前記第３及び第４の被走査面を主走査方向に走査し、
前記第３の光学部の第３の出射面及び前記第４の光学部の第４の出射面の少なくとも一方は、子線チルト面であり、
前記第１及び第２の光学素子の形状は、互いに異なることを特徴とする請求項１乃至３のいずれか一項に記載の光走査装置。
【請求項５】
前記第２の光学素子の入射面は、該入射面の面頂点を含む副走査断面内において、該面頂点の位置で前記偏向器側に最も突出していることを特徴とする請求項４に記載の光走査装置。
【請求項６】
前記第１の偏向面上の軸上偏向点と前記第１の光学素子の入射面との間の距離は、前記第２の偏向面上の軸上偏向点と前記第２の光学素子の入射面との間の距離に等しいことを特徴とする請求項４または５に記載の光走査装置。
【請求項７】
軸上光線の入射位置を含む副走査断面内における前記第３の出射面の面頂点と前記第４の出射面の面頂点との間の距離は、最軸外光線の入射位置を含む副走査断面内における前記第３の出射面の面頂点と前記第４の出射面の面頂点との間の距離よりも大きいことを特徴とする請求項４乃至６のいずれか一項に記載の光走査装置。
【請求項８】
前記第１の光学部の副走査断面内における屈折力及び前記第１の出射面の子線チルト量をそれぞれＰｓ１及びＴｓ１、前記第３の光学部の副走査断面内における屈折力及び前記第３の出射面の子線チルト量をそれぞれＰｓ３及びＴｓ３とするとき、
｜Ｐｓ１｜≦｜Ｐｓ３｜
｜Ｔｓ１｜≦｜Ｔｓ３｜
なる条件を満たすことを特徴とする請求項４乃至７のいずれか一項に記載の光走査装置。
【請求項９】
前記第１の光学素子の入射面は、正の屈折力を有することを特徴とする請求項１乃至８のいずれか一項に記載の光走査装置。
【請求項１０】
前記第１及び第２の出射面は、負の屈折力を有することを特徴とする請求項１乃至９のいずれか一項に記載の光走査装置。
【請求項１１】
前記第１の光学素子は、正の屈折力を有することを特徴とする請求項１乃至１０のいずれか一項に記載の光走査装置。
【請求項１２】
副走査断面内において主走査断面に対して互いに異なる角度で第１の偏向面に入射する第１及び第２の光束を偏向して、第１及び第２の被走査面を主走査方向に走査すると共に、副走査断面内において主走査断面に対して互いに異なる角度で第２の偏向面に入射する第３及び第４の光束を偏向して、第３及び第４の被走査面を主走査方向に走査する偏向器と、
前記偏向器によって偏向された前記第１及び第２の光束を前記第１及び第２の被走査面に導光する第１及び第２の光学部を含む第１の光学素子と、
前記偏向器によって偏向された前記第３及び第４の光束を前記第３及び第４の被走査面に導光する第３及び第４の光学部を含む第２の光学素子とを有し、
前記第１の光学部の第１の出射面及び前記第２の光学部の第２の出射面の少なくとも一方は、子線チルト面であり、
前記第１及び第２の光学素子の形状は、互いに異なることを特徴とする光走査装置。
【請求項１３】
前記第１の光学素子の入射面は、該入射面の面頂点を含む副走査断面内において、該面頂点の位置で前記偏向器側に最も突出しており、
前記第２の光学素子の入射面は、該入射面の面頂点を含む副走査断面内において、該面頂点の位置で前記偏向器側に最も突出していることを特徴とする請求項１２に記載の光走査装置。
【請求項１４】
軸上光線の入射位置を含む副走査断面内における前記第１の出射面の面頂点と前記第２の出射面の面頂点との間の距離は、最軸外光線の入射位置を含む副走査断面内における前記第１の出射面の面頂点と前記第２の出射面の面頂点との間の距離よりも大きく、
軸上光線の入射位置を含む副走査断面内における前記第３の光学部の第３の出射面の面頂点と前記第４の光学部の第４の出射面の面頂点との間の距離は、最軸外光線の入射位置を含む副走査断面内における前記第３の出射面の面頂点と前記第４の出射面の面頂点との間の距離よりも大きいことを特徴とする請求項１２または１３に記載の光走査装置。
【請求項１５】
請求項１乃至１４のいずれか一項に記載の光走査装置と、該光走査装置により被走査面に形成される静電潜像をトナー像として現像する現像器と、現像された前記トナー像を被転写材に転写する転写器と、転写された前記トナー像を前記被転写材に定着させる定着器とを備えることを特徴とする画像形成装置。
【請求項１６】
請求項１乃至１４のいずれか一項に記載の光走査装置と、外部機器から出力された信号を画像データに変換して前記光走査装置に入力するプリンタコントローラとを備えることを特徴とする画像形成装置。
【手続補正２】
【補正対象書類名】明細書
【補正対象項目名】０００５
【補正方法】変更
【補正の内容】
【０００５】
本発明に係る光走査装置は、副走査断面内において主走査断面に対して互いに異なる角度で第１の偏向面に入射する第１及び第２の光束を偏向して、第１及び第２の被走査面を主走査方向に走査する偏向器と、偏向器によって偏向された第１及び第２の光束を第１及び第２の被走査面に導光する第１及び第２の光学部を含む第１の光学素子とを有し、第１の光学素子の入射面は、該入射面の面頂点を含む副走査断面内において、該面頂点の位置で偏向器側に最も突出しており、第１の光学部の第１の出射面及び第２の光学部の第２の出射面の少なくとも一方は、子線チルト面であり、軸上光線の入射位置を含む副走査断面内における第１の出射面の面頂点と第２の出射面の面頂点との間の距離は、最軸外光線の入射位置を含む副走査断面内における第１の出射面の面頂点と第２の出射面の面頂点との間の距離よりも大きいことを特徴とする。
【手続補正３】
【補正対象書類名】明細書
【補正対象項目名】００１４
【補正方法】変更
【補正の内容】
【００１４】
ここで、第１のｆθレンズ１０６は、第１の光学部１０６ａと第２の光学部１０６ｂとが副走査方向に並んで設けられている多段レンズである。すなわち、第１のｆθレンズ１０６の入射面は、第１の光学部１０６ａの入射面及び第２の光学部１０６ｂの入射面から構成されており、第１のｆθレンズ１０６の出射面は、第１の光学部１０６ａの出射面（第１の出射面）及び第２の光学部１０６ｂの出射面（第２の出射面）から構成されている。そして、第１の光学部１０６ａ及び第２の光学部１０６ｂの出射面は、互いに子線チルト量が異なる形状をしており、且つそれぞれ子線チルト量が主走査方向に応じて変化する子線チルト変化面である。
反射部材１０９、２０９及び２１０は、光束を反射する手段であり、蒸着ミラー等が用いられる。
【手続補正４】
【補正対象書類名】明細書
【補正対象項目名】００４２
【補正方法】変更
【補正の内容】
【００４２】
図５（ａ）乃至（ｅ）は、本実施形態の第１のｆθレンズ１０６の第１及び第２の光学部１０６ａ及び１０６ｂの出射面１０６１及び１０６２それぞれにおける子線チルトの変化を示した図である。
具体的には、図５（ａ）は、第１のｆθレンズ１０６の入射面１０６０の面頂点位置の主走査方向における変化を示している。そして、図５（ｂ）は、第１のｆθレンズ１０６の第１及び第２の光学部１０６ａ及び１０６ｂの出射面１０６１及び１０６２それぞれの面頂点位置の主走査方向における変化を示している。
また、図５（ｃ）は走査開始端、すなわち反光源側の最軸外像高へ向かう光束が第１のｆθレンズ１０６を通過する主走査方向位置（最軸外光線の通過位置、最軸外光線の入射位置）での第１のｆθレンズ１０６の副走査断面図を示している。そして、図５（ｄ）は中央部、すなわち軸上像高へ向かう光束が第１のｆθレンズ１０６を通過する主走査方向位置（軸上光線の通過位置、軸上光線の入射位置）での第１のｆθレンズ１０６の副走査断面図を示している。
また、図５（ｅ）は走査終了端、すなわち光源側の最軸外像高へ向かう光束が第１のｆθレンズ１０６を通過する主走査方向位置（最軸外光線の通過位置、最軸外光線の入射位置）での第１のｆθレンズ１０６の副走査断面図を示している。
【手続補正５】
【補正対象書類名】明細書
【補正対象項目名】００５８
【補正方法】変更
【補正の内容】
【００５８】
また、第１のｆθレンズ２０６は、第１の光学部２０６ａ（第３の光学部）と第２の光学部２０６ｂ（第４の光学部）とが副走査方向に並んで設けられている多段レンズである。すなわち、第１のｆθレンズ２０６の入射面は、第１の光学部２０６ａの入射面及び第２の光学部２０６ｂの入射面から構成されており、第１のｆθレンズ２０６の出射面は、第１の光学部２０６ａの出射面（第３の出射面）及び第２の光学部２０６ｂの出射面（第４の出射面）から構成されている。そして、第１の光学部２０６ａ及び第２の光学部２０６ｂの出射面は、互いに子線チルト量が異なる形状をしており、且つそれぞれ子線チルト量が主走査方向に応じて変化する子線チルト変化面である。
反射部材１０９、２０９、２１０、３０９、３１０及び４０９は、光束を反射する手段であり、蒸着ミラー等が用いられる。